(57)【要約】【課題】電源ユニットに対して、センサユニットを好適に着脱可能に取り付けることができる。【解決手段】住宅の内部環境を測定可能なセンサユニット１０と、住宅内部の壁体に固定され、センサユニット１０が着脱可能に取り付けられると共に、当該センサユニット１０に電力を供給可能な電源ユニット２０と、を具備し、センサユニット１０及び電源ユニット２０には、当該センサユニット１０を、当該電源ユニット２０に対してスライドさせることで当該電源ユニット２０に対して取り付け可能なガイド部１３及びレール部２５が設けられている。【選択図】図１
2020159947.tif 000002
【特許請求の範囲】
【請求項１】
住宅の内部環境を測定可能なセンサユニットと、
住宅内部の壁体に固定され、前記センサユニットが着脱可能に取り付けられると共に、当該センサユニットに電力を供給可能な電源ユニットと、
を具備し、
前記センサユニット及び前記電源ユニットには、
当該センサユニットを、当該電源ユニットに対してスライドさせることで当該電源ユニットに対して取り付け可能なスライド部が設けられている、
センサ装置。
【請求項２】
前記スライド部は、
前記センサユニットに設けられた第一スライド部と、
前記電源ユニットに設けられた第二スライド部と、
を具備し、
前記第一スライド部は、一方向に長尺な形状とされた嵌合部を有し、前記第二スライド部に対して前記一方向にスライド自在とされると共に、前記一方向以外の方向に移動不能とされ、
前記第二スライド部は、前記一方向に長尺な形状とされると共に前記嵌合部に嵌合される被嵌合部を有する、
請求項１に記載のセンサ装置。
【請求項３】
前記第一スライド部は、
前記一方向に直交する方向に離間するように一対設けられ、
前記第二スライド部は、
前記一対の第一スライド部に嵌合するように一対設けられている、
請求項２に記載のセンサ装置。
【請求項４】
前記センサユニット及び前記電源ユニットのうちの一方には、コネクタ部が設けられ、他方には、前記コネクタ部と接続されるポート部が設けられ、
前記センサユニットが前記電源ユニットに対して取り付けられることで、前記コネクタ部及び前記ポート部が接続される、
請求項１から請求項３までのいずれか一項に記載のセンサ装置。
【請求項５】
前記コネクタ部は、
前記センサユニットの前記電源ユニットに対するスライドに伴い、前記ポート部に対して嵌合することで前記ポート部と接続される、
請求項４に記載のセンサ装置。
【請求項６】
前記電源ユニットは、
前記壁体に取り付けられた取付枠に対して、止具を介して固定される、
請求項１から請求項５までのいずれか一項に記載のセンサ装置。
【発明の詳細な説明】
【技術分野】
【０００１】
本発明は、住宅の内部に取り付けられるセンサ装置の技術に関する。
【背景技術】
【０００２】
従来、住宅内部の壁体に取り付けられるセンサ装置の技術は公知となっている。例えば、特許文献１に記載の如くである。
【０００３】
特許文献１には、建物内部の壁面に取り付けられ、地震揺動を検知する加速度センサーが設けられた片切りスイッチが記載されている。
【０００４】
上記片切りスイッチは、加速度センサーと、当該加速度センサーに電力を供給する電源部と、を備えている。ここで、上述のような片切りスイッチにおいては、メンテナンス性の観点から、加速度センサーを含む部分は、電源部に対して着脱可能に取り付けられることが望ましい。
【０００５】
しかしながら、加速度センサーを含む部分を電源部に対して着脱可能に取り付け可能とした場合、取り付け態様によっては、電源部に対する加速度センサーを含む部分のがたつきが生じ易くなり、加速度センサーの検知に影響を及ぼすおそれがある。このため、上記加速度センサーのようなセンサを含む部分を、電源部に対して好適に着脱可能に取り付けることができるセンサ装置が望まれる。
【先行技術文献】
【特許文献】
【０００６】
【特許文献１】特開２０１７−１８８４８６号公報
【発明の概要】
【発明が解決しようとする課題】
【０００７】
本発明は、以上の如き状況を鑑みてなされたものであり、その解決しようとする課題は、電源ユニット対して、センサユニットを好適に着脱可能に取り付けることができるセンサ装置を提供するものである。
【課題を解決するための手段】
【０００８】
本発明の解決しようとする課題は以上の如くであり、次にこの課題を解決するための手段を説明する。
【０００９】
即ち、請求項１においては、住宅の内部環境を測定可能なセンサユニットと、住宅内部の壁体に固定され、前記センサユニットが着脱可能に取り付けられると共に、当該センサユニットに電力を供給可能な電源ユニットと、を具備し、前記センサユニット及び前記電源ユニットには、当該センサユニットを、当該電源ユニットに対してスライドさせることで当該電源ユニットに対して取り付け可能なスライド部が設けられているものである。
【００１０】
請求項２においては、前記スライド部は、前記センサユニットに設けられた第一スライド部と、前記電源ユニットに設けられた第二スライド部と、を具備し、前記第一スライド部は、一方向に長尺な形状とされた嵌合部を有し、前記第二スライド部に対して前記一方向にスライド自在とされると共に、前記一方向以外の方向に移動不能とされ、前記第二スライド部は、前記一方向に長尺な形状とされると共に前記嵌合部に嵌合される被嵌合部を有するものである。
【００１１】
請求項３においては、前記第一スライド部は、前記一方向に直交する方向に離間するように一対設けられ、前記第二スライド部は、前記一対の第一スライド部に嵌合するように一対設けられているものである。
【００１２】
請求項４においては、前記センサユニット及び前記電源ユニットのうちの一方には、コネクタ部が設けられ、他方には、前記コネクタ部と接続されるポート部が設けられ、前記センサユニットが前記電源ユニットに対して取り付けられることで、前記コネクタ部及び前記ポート部が接続されるものである。
【００１３】
請求項５においては、前記コネクタ部は、前記センサユニットの前記電源ユニットに対するスライドに伴い、前記ポート部に対して嵌合することで前記ポート部と接続されるものである。
【００１４】
請求項６においては、前記電源ユニットは、前記壁体に取り付けられた取付枠に対して、止具を介して固定されるものである。
【発明の効果】
【００１５】
本発明の効果として、以下に示すような効果を奏する。
【００１６】
請求項１においては、電源ユニットに対して、センサユニットを好適に着脱可能に取り付けることができる。
【００１７】
請求項２においては、電源ユニットに対して、センサユニットをより好適に着脱可能に取り付けることができる。
【００１８】
請求項３においては、電源ユニット対して、センサユニットをより好適に着脱可能に取り付けることができる。
【００１９】
請求項４においては、コネクタ部とポート部とを容易に接続することができる。
【００２０】
請求項５においては、センサユニットを電源ユニットに対して着脱可能としながらも、センサユニットが電源ユニットに対して容易に外れ難くすることができる。
【００２１】
請求項６においては、壁体に対して、センサユニットを好適に取り付けることができる。
【図面の簡単な説明】
【００２２】
【図１】本発明の一実施形態に係るセンサ装置を示した斜視図。
【図２】センサ装置を示した分解斜視図。
【図３】電源ユニットに対するセンサユニットの取り付け態様を示した斜視図。
【図４】センサユニットを示した背面図。
【図５】電源ユニットを示した正面図。
【図６】センサ装置を示した断面図。
【図７】センサ装置の取り付け態様を示した分解斜視図。
【図８】センサ装置を壁体に取り付けた状態を示した斜視図。
【発明を実施するための形態】
【００２３】
以下では、図中の矢印に基づいて、前後方向、左右方向及び上下方向を定義して説明を行う。
【００２４】
以下では、図１から図６までを用いて、本発明の一実施形態に係るセンサ装置１について説明する。
【００２５】
センサ装置１は、住宅の内部環境を測定可能なものである。センサ装置１は、住宅の内部の壁体に埋め込まれるように固定される。センサ装置１は、センサユニット１０と、電源ユニット２０と、を具備する。
【００２６】
図１から図４、図６に示すセンサユニット１０は、住宅の内部環境を測定可能なセンサを有するものである。センサユニット１０は、気圧を測定可能な気圧センサや温度を測定可能な温度センサ、揺れを測定可能な加速度センサを有している。なお、センサユニット１０に設けられるセンサとしては、上述したものに限られず、種々のセンサを採用可能である。センサユニット１０は、本体部１１、ポート部１２及びガイド部１３を具備する。
【００２７】
本体部１１は、センサユニット１０の大部分を構成するものである。本体部１１には、上述したセンサが内蔵される。本体部１１は、図２及び図４に示すように、正面視（背面視）において略矩形状とされている。また、本体部１１は、厚さ方向を前後方向に沿わせた板形状とされている。本体部１１は、制御部１１ａを有する。
【００２８】
図４に示す制御部１１ａは、上記センサに関する処理を実行可能なものである。制御部１１ａは、所定の演算処理装置や記憶装置を有する。制御部１１ａは、プログラムや種々の情報を記憶装置に格納しており、当該プログラムや種々の情報を演算処理装置で読み込んで処理することで、センサに関する処理を実行することができる。また、制御部１１ａは、センサによる測定結果を記憶装置に格納可能とされている。また、制御部１１ａは、センサ装置１の外部の機器との通信が可能な通信装置を有する。これにより、外部の機器からの情報の受信や、当該制御部１１ａによる処理の結果の送信等が可能となる。
【００２９】
図２及び図４に示すポート部１２は、センサユニット１０を、当該センサユニット１０の外部の機器に対して接続するための部分である。ポート部１２は、本体部１１の後面に設けられる。ポート部１２は、凹部１２ａ及び差込部１２ｂを具備する。
【００３０】
凹部１２ａは、本体部１１の後面に設けられた部分である。凹部１２ａは、本体部１１の後面の上側部分において、後方に開口するように設けられている。また、凹部１２ａは、本体部１１の後面において右側端部が右方に開口し、左側端部が本体部１１の左右方向途中部位に位置するように設けられている。凹部１２ａは、背面視において略矩形状とされている。
【００３１】
差込部１２ｂは、センサユニット１０の外部の機器（後述するコネクタ部２４の端子部２４ｂ）が接続される差込口を構成するものである。差込部１２ｂは、凹部１２ａの右方を向く面に設けられる。差込部１２ｂを介して、センサユニット１０の外部からセンサユニット１０への電力の供給が可能となる。
【００３２】
ガイド部１３は、センサユニット１０を、後述する電源ユニット２０に取り付けるための部分である。ガイド部１３は、上下方向に離間するように一対設けられている。以下では、必要に応じて、上側のガイド部１３を上ガイド部１３Ａ、下側のガイド部１３を下ガイド部１３Ｂとして説明する。
【００３３】
上ガイド部１３Ａは、本体部１１の上面に設けられている。上ガイド部１３Ａは、左右方向に長尺な溝形状とされている。上ガイド部１３Ａは、右側端部が右方に開口する。また、上ガイド部１３Ａは、左側端部が本体部１１の左右方向途中部位に位置する。換言すれば、上ガイド部１３Ａは、本体部１１の上面において、右側端部から本体部１１の左右方向途中部位に亘って形成されている。図例では、上ガイド部１３Ａの左右寸法は、本体部１１の左右寸法の略７／１０程度とされている。
【００３４】
上ガイド部１３Ａは、本体部１１の上面において、前後方向中央よりも後方側部分に設けられている。上ガイド部１３Ａは、図６に示すように、側面視（断面視）において、溝底側へ向かうに従って溝幅寸法が小さくなるように、前方を向く壁部及び後方を向く壁部が傾斜している。
【００３５】
下ガイド部１３Ｂは、上ガイド部１３Ａと上下対称に設けられる。すなわち、下ガイド部１３Ｂは、本体部１１の下面に設けられている点を除いて、上ガイド部１３Ａと概ね同様な構成とされている。
【００３６】
図１から図３、図５、図６に示す電源ユニット２０は、壁体に固定されると共に、センサユニット１０が着脱可能に取り付けられるものである。電源ユニット２０は、系統電源等の所定の電力供給源から供給された電力を、センサユニット１０に対して供給可能とされている。電源ユニット２０は、電源部２１及び接続部２２を具備する。
【００３７】
電源部２１は、センサユニット１０に電力を供給するものである。電源部２１は、壁体の内部に配置された所定の配線を介して、電力供給源に接続される。電源部２１は、電力供給源からの電力を蓄電可能とされている。これにより、電源部２１は、停電により系統電源等からの電力の供給が停止した場合でも、センサユニット１０に電力を供給することができる。電源部２１は、正面視において、センサユニット１０に概ね対応した矩形状とされている。
【００３８】
接続部２２は、センサユニット１０が接続されるものである。接続部２２は、電源部２１の前方に設けられ、当該電源部２１を介した電力が供給される。接続部２２は、本体部２３、コネクタ部２４、レール部２５及び固定部２６を具備する。
【００３９】
本体部２３は、接続部２２の大部分を構成するものである。本体部２３は、厚さ方向を前後方向（壁体の厚さ方向）に沿わせた板形状とされている。本体部２３は、正面視において、電源部２１に概ね対応した矩形状とされている。
【００４０】
図２及び図５に示すコネクタ部２４は、センサユニット１０のポート部１２と接続される部分である。コネクタ部２４を介して、電源ユニット２０からセンサユニット１０への電力の供給が可能とされる。コネクタ部２４は、本体部２３の前面に設けられる。コネクタ部２４は、ベース部２４ａ及び端子部２４ｂを具備する。
【００４１】
ベース部２４ａは、本体部２３の前面において前方に突出する部分である。ベース部２４ａは、センサユニット１０が電源ユニット２０に取り付けられた状態で、ポート部１２の凹部１２ａに収容されるように、凹部１２ａに対応した位置に設けられる。すなわち、ベース部２４ａは、本体部２３の前面の上側部分において、右端部に設けられている。
【００４２】
端子部２４ｂは、ベース部２４ａの左端面から左方に突出する部分である。端子部２４ｂは、本体部２３の前面から離間するように配置されている。端子部２４ｂは、ポート部１２の差込部１２ｂに対応した形状とされている。端子部２４ｂは、センサユニット１０が電源ユニット２０に取り付けられた状態で、ポート部１２の差込部１２ｂに差し込まれることで、当該差込部１２ｂと嵌合する。また、これにより、センサユニット１０が接続部２２に接続される。
【００４３】
レール部２５は、センサユニット１０のガイド部１３を取り付けるための部分である。レール部２５は、上下方向に離間するように一対設けられている。以下では、必要に応じて、上側のレール部２５を上レール部２５Ａ、下側のレール部２５を下レール部２５Ｂとして説明する。
【００４４】
上レール部２５Ａは、本体部２３の前面に設けられている。上レール部２５Ａは、支持部２５ａ及び突部２５ｂを具備する。
【００４５】
支持部２５ａは、本体部２３の前面から前方に突出する部分である。支持部２５ａは、本体部２３の前面における上端部に設けられる。また、支持部２５ａは、本体部２３の前面において、左右方向の全体に亘って設けられる。
【００４６】
突部２５ｂは、支持部２５ａの前端部から下方に突出する部分である。突部２５ｂは、左右方向に長尺な形状とされている。突部２５ｂは、支持部２５ａの右端部から、当該支持部２５ａの左右方向途中部分に亘って形成されている。また、突部２５ｂの左右寸法は、ガイド部１３の左右寸法に応じた寸法とされる。図例では、突部２５ｂの左右寸法は、支持部２５ａの左右寸法の略７／１０程度とされている。
【００４７】
突部２５ｂは、側面視において略矩形状とされている。突部２５ｂの前後寸法は、ガイド部１３（上ガイド部１３Ａ）の溝幅寸法に応じた寸法とされている。図例では、突部２５ｂの前後寸法を、ガイド部１３の溝底における溝幅寸法と略同寸法とした例を示している。
【００４８】
下レール部２５Ｂは、上レール部２５Ａと上下対称に設けられる。すなわち、下レール部２５Ｂは、支持部２５ａが本体部２３の前面における下端部に設けられ、突部２５ｂが、支持部２５ａの前端部から上方に突出する点を除いて、上レール部２５Ａと概ね同様な構成とされている。
【００４９】
図３に示すように、上下のレール部２５の支持部２５ａ間の上下寸法は、センサユニット１０の上下寸法に応じた寸法とされている。また、図６に示すように、上下のレール部２５と上下のガイド部１３とがそれぞれ嵌合した状態では、センサユニット１０は、電源ユニット２０に対して左右方向にスライド自在とされると共に、左右方向以外の方向の移動が規制される。また、この状態では、電源ユニット２０の本体部２３の前面が、センサユニット１０の本体部１１の後面に対して当接又は近接する。
【００５０】
固定部２６は、壁体に対して固定される部分である。固定部２６は、上下に一対設けられる。固定部２６は、上下のレール部２５の支持部２５ａからそれぞれ上下に突出するように設けられる。固定部２６は、支持部２５ａの左右方向中央部に設けられる。固定部２６には、前後方向に貫通する止具挿通孔２６ａが形成されている。止具挿通孔２６ａには、ねじ等の止具が挿通される。
【００５１】
上述の如きセンサ装置１は、以下のようにして、電源ユニット２０に対するセンサユニット１０の取付が可能である。
【００５２】
まず、図２及び図３に示すように、電源ユニット２０の上レール部２５Ａの支持部２５ａと下レール部２５Ｂの支持部２５ａとの間であって、突部２５ｂよりも左方側の空間に、センサユニット１０を配置する。この状態では、センサユニット１０の上端部及び下端部が、電源ユニット２０の上下の支持部２５ａに対して当接又は近接する。また、電源ユニット２０の本体部２３の前面が、センサユニット１０の本体部１１の後面に対して当接又は近接する。これにより、センサユニット１０の上下方向及び後方側への移動が規制され、電源ユニット２０に対するセンサユニット１０の位置決めが可能となる。
【００５３】
次に、図３に示すように、センサユニット１０を電源ユニット２０に対して右方に移動させる。これにより、電源ユニット２０の上下のレール部２５の突部２５ｂと、センサユニット１０の上下のガイド部１３と、が互いに嵌合する。この状態では、センサユニット１０は、左右方向以外の方向の移動が規制される。また、センサユニット１０を、電源ユニット２０に対して左右方向に安定してスライドさせることが可能となる。
【００５４】
センサユニット１０を、電源ユニット２０に対して右方にスライドさせることで、電源ユニット２０に対するセンサユニット１０の取り付けが可能となる。また、センサユニット１０のポート部１２の差込部１２ｂに、接続部２２のコネクタ部２４の端子部２４ｂが差し込まれ、センサユニット１０と接続部２２との接続が可能となる。
【００５５】
上述のように、センサユニット１０を電源ユニット２０に対して取り付けることで、センサユニット１０の左右方向以外の方向の移動が規制され、電源ユニット２０に対するセンサユニット１０のがたつきが生じることを抑制することができる。
【００５６】
また、センサユニット１０が電源ユニット２０に取り付けられた状態では、センサユニット１０は、上下のガイド部１３の左側端部が、電源ユニット２０の上下の突部２５ｂの左側端部に当接することで、右方への移動が規制される。
【００５７】
また、センサユニット１０が電源ユニット２０に取り付けられた状態では、コネクタ部２４の端子部２４ｂが、ポート部１２の差込部１２ｂに嵌合しているため、センサユニット１０を電源ユニット２０に対して着脱可能としながらも、センサユニット１０が電源ユニット２０に対して容易に外れ難くすることができる。また、電源ユニット２０に対するセンサユニット１０のがたつきをより抑制することができる。
【００５８】
ここで、センサ装置１は、センサユニット１０が電源ユニット２０に取り付けられた状態を維持するために、電源ユニット２０に取り付けられたセンサユニット１０の左方へのスライドを抑制する所定の係止手段を設ける構成を採用可能である。係止手段としては、例えば、スライド方向に所定量以上の力が掛かれば、電源ユニット２０に対するセンサユニット１０の移動の係止の解除（移動の許容）が行われるような構成や、所定の操作によって電源ユニット２０に対するセンサユニット１０の係止及び係止の解除を切替可能な構成等、種々の構成を採用可能である。
【００５９】
また、電源ユニット２０に取り付けられたセンサユニット１０を左方にスライドさせることで、電源ユニット２０に対するセンサユニット１０の取り外しが可能となる。これにより、必要に応じて、センサユニット１０の修理や交換等のメンテナンスが可能となる。
【００６０】
また、上述の如きセンサ装置１は、取付手段３０を介して壁体に固定される。以下では、図７及び図８を用いて、取付手段３０の一例について説明する。
【００６１】
取付手段３０は、壁体に対して固定され、センサ装置１を保持するものである。取付手段３０は、取付枠４０、ケース部５０及びセンサプレート６０を具備する。
【００６２】
取付枠４０は、壁体に固定されるものである。取付枠４０は、図８に示すように、壁面に形成された開口を介して、壁体の内部において桟木等の下地に固定される。取付枠４０は、四方枠形状とされている。取付枠４０は、四方枠を構成する上辺部及び下辺部のそれぞれに、止具が挿通される止具挿通孔４１が設けられている。止具挿通孔４１は、上辺部及び下辺部を前後方向に貫通するように設けられている。
【００６３】
ケース部５０は、電源ユニット２０を保持するものである。ケース部５０は、取付枠４０に取り付けられる。ケース部５０は、収容部５１及び固定部５２を具備する。
【００６４】
収容部５１は、電源ユニット２０を収容可能な部分である。収容部５１は、前方に開口した箱状とされている。図例では、電源ユニット２０の固定部２６より後方側の部分を、収容部５１に収容させた例を示している。また、ケース部５０が取付枠４０に取り付けられた状態では、収容部５１は、取付枠４０の枠内に収容される。
【００６５】
固定部５２は、ケース部５０を取付枠４０に固定するための部分である。固定部５２は、収容部５１の上端部及び下端部からそれぞれ上下に突出するように設けられる。固定部５２は、厚さ方向を前後方向に沿わせた板形状とされている。固定部５２は、図８に示すように、ケース部５０が取付枠４０に取り付けられた状態で、後面が壁面に当接する。固定部５２は、第一止具挿通孔５３及び第二止具挿通孔５４を具備する。
【００６６】
第一止具挿通孔５３は、止具が挿通される孔である。第一止具挿通孔５３は、前後方向に貫通する。第一止具挿通孔５３は、ケース部５０の収容部５１が取付枠４０の枠内に収容された状態で、正面視において、取付枠４０の止具挿通孔４１と重複する。また、第一止具挿通孔５３は、収容部５１に電源ユニット２０が収容された状態で、正面視において、固定部２６の止具挿通孔２６ａと重複する。
【００６７】
図８に示すように、止具挿通孔２６ａ、第一止具挿通孔５３及び止具挿通孔４１に止具を挿通させることで、電源ユニット２０、ケース部５０、取付枠４０を一体的に固定することができる。この状態では、電源ユニット２０は、ケース部５０及び止具を介して取付枠４０に固定される。また、この状態では、電源ユニット２０は、少なくとも前側部分（上下のレール部２５が設けられた部分）が、ケース部５０の前面よりも前方側に位置するように固定される。これにより、電源ユニット２０の上下のレール部２５が設けられた部分が壁面よりも前方側に位置することから、壁面の前方において、電源ユニット２０に対するセンサユニット１０の着脱が可能となる。
【００６８】
第二止具挿通孔５４は、止具が挿通される孔である。第二止具挿通孔５４は、前後方向に貫通する。第二止具挿通孔５４は、第一止具挿通孔５３よりも上下方向外側に設けられる。すなわち、上側の固定部５２においては、第一止具挿通孔５３よりも上側に第二止具挿通孔５４が設けられ、下側の固定部５２においては、第一止具挿通孔５３よりも下側に第二止具挿通孔５４が設けられる。
【００６９】
センサプレート６０は、壁面に形成された開口や、取付枠４０及びケース部５０を覆うものである。センサプレート６０は、壁体の前面において、センサユニット１０を囲うように設けられる。センサプレート６０は、ケース部５０に取り付けられる。センサプレート６０は、ベース部６１及びカバー部６４を具備する。
【００７０】
ベース部６１は、センサプレート６０の後側部分を構成するものである。ベース部６１は、厚さ方向を前後方向に沿わせた板形状とされている。ベース部６１は、正面視において、略矩形状とされている。ベース部６１は、開口部６２及び止具挿通孔６３を具備する。
【００７１】
開口部６２は、前後方向に貫通するように形成された開口である。開口部６２は、正面視におけるセンサユニット１０の形状に対応した形状とされている。
【００７２】
止具挿通孔６３は、止具が挿通される孔である。止具挿通孔６３は、開口部６２の上下にそれぞれ設けられている。止具挿通孔６３は、センサユニット１０を囲うようにベース部６１を配置した状態で、正面視において、ケース部５０の固定部５２に設けられた第二止具挿通孔５４と重複する。これにより、止具挿通孔６３及び第二止具挿通孔５４に止具を挿通させることで、ベース部６１をケース部５０に固定することができる。
【００７３】
カバー部６４は、センサプレート６０の前側部分を構成するものである。カバー部６４は、ベース部６１を覆うように配置される。カバー部６４は、厚さ方向を前後方向に沿わせた板形状とされている。カバー部６４は、正面視において、ベース部６１に応じた略矩形状とされている。カバー部６４は、開口部６５を具備する。
【００７４】
開口部６５は、前後方向に貫通するように形成された開口である。開口部６２は、ベース部６１の開口部６２と同様、正面視におけるセンサユニット１０の形状に対応した形状とされている。
【００７５】
上記カバー部６４の後面及びベース部６１の前面には、互いに係止可能な係止部が設けられている。これにより、カバー部６４をベース部６１に取り付けることができる。これにより、カバー部６４によりベース部６１を覆うことができ、ベース部６１を固定する止具が露出することを抑制することができる。図８に示した例では、カバー部６４を取り付けた状態で、カバー部６４の前面とセンサユニット１０の前面とが略面一状となる構成とした例を示している。なお、上述した例に限られず、センサユニット１０の前面が、カバー部６４の前面よりも前方に位置するような構成としてもよい。
【００７６】
なお、上述した取付手段３０の構成は一例であり、壁体に対するセンサ装置１の取り付け態様は、種々の態様を採用可能である。
【００７７】
以上の如く、本実施形態に係るセンサ装置１は、
住宅の内部環境を測定可能なセンサユニット１０と、
住宅内部の壁体に固定され、前記センサユニット１０が着脱可能に取り付けられると共に、当該センサユニット１０に電力を供給可能な電源ユニット２０と、
を具備し、
前記センサユニット１０及び前記電源ユニット２０には、
当該センサユニット１０を、当該電源ユニット２０に対してスライドさせることで当該電源ユニット２０に対して取り付け可能なスライド部（ガイド部１３及びレール部２５）が設けられているものである。
【００７８】
このように構成することにより、電源ユニット２０に対して、センサユニット１０を好適に着脱可能に取り付けることができる。すなわち、センサユニット１０を、スライド部（ガイド部１３及びレール部２５）を介して電源ユニット２０に対して着脱可能に取り付ける構成としたことで、取り付けた状態で電源ユニット２０に対するセンサユニット１０のがたつきが生じることを比較的抑制することができる。
【００７９】
また、前記スライド部（ガイド部１３及びレール部２５）は、
前記センサユニット１０に設けられたガイド部１３（第一スライド部）と、
前記電源ユニット２０に設けられたレール部２５（第二スライド部）と、
を具備し、
前記ガイド部１３は、一方向に長尺な形状とされた嵌合部（ガイド部１３）を有し、前記レール部２５に対して前記一方向にスライド自在とされると共に、前記一方向以外の方向に移動不能とされ、
前記レール部２５は、前記一方向に長尺な形状とされると共に前記嵌合部（ガイド部１３）に嵌合される被嵌合部（突部２５ｂ）を有するものである。
【００８０】
このように構成することにより、電源ユニット２０に対して、センサユニット１０をより好適に着脱可能に取り付けることができる。すなわち、ガイド部１３を、レール部２５に対して一方向にスライド自在とすると共に、一方向以外の方向に移動不能とすることで、電源ユニット２０に対するセンサユニット１０のがたつきが生じることをより抑制することができる。また、ガイド部１３の嵌合部（ガイド部１３）をレール部２５の被嵌合部（突部２５ｂ）に嵌合させた状態でセンサユニット１０をスライドさせて、当該センサユニット１０を電源ユニット２０に対して取り付けることができる。これにより、電源ユニット２０に対するセンサユニット１０のがたつきが生じることをより抑制することができる。また、嵌合部（ガイド部１３）及び被嵌合部（突部２５ｂ）をそれぞれ一方向に長尺な形状としているので、ガイド部１３を、レール部２５に対してより安定させてスライドさせることができる。
【００８１】
また、センサ装置１は、
前記ガイド部１３は、
前記一方向に直交する方向に離間するように一対設けられ、
前記レール部２５は、
前記一対のガイド部１３に嵌合するように一対設けられているものである。
【００８２】
このように構成することにより、電源ユニット２０対して、センサユニット１０をより好適に着脱可能に取り付けることができる。すなわち、一対のガイド部１３及び一対のレール部２５によって、センサユニット１０を電源ユニット２０に取り付け可能な構成としたことで、電源ユニット２０に対するセンサユニット１０のがたつきが生じることをより抑制することができる。
【００８３】
また、センサ装置１は、
前記センサユニット１０及び前記電源ユニット２０のうちの一方には、コネクタ部２４が設けられ、他方には、前記コネクタ部２４と接続されるポート部１２が設けられ、
前記センサユニット１０が前記電源ユニット２０に対して取り付けられることで、前記コネクタ部２４及び前記ポート部１２が接続されるものである。
【００８４】
このように構成することにより、コネクタ部２４とポート部１２とを容易に接続することができる。すなわち、センサユニット１０を電源ユニット２０に対してスライドさせることで、コネクタ部２４とポート部１２とが接続される。これにより、電源ユニット２０に対するセンサユニット１０の取り付け動作によって、コネクタ部２４及びポート部１２についても接続可能となる。
【００８５】
また、前記コネクタ部２４は、
前記センサユニット１０の前記電源ユニット２０に対するスライドに伴い、前記ポート部１２に対して嵌合することで前記ポート部１２と接続されるものである。
【００８６】
このように構成することにより、センサユニット１０を電源ユニット２０に取り付けた状態で、コネクタ部２４（端子部２４ｂ）が、ポート部１２（差込部１２ｂ）に嵌合しているため、センサユニット１０を電源ユニット２０に対して着脱可能としながらも、センサユニット１０が電源ユニット２０に対して容易に外れ難くすることができる。また、電源ユニット２０に対するセンサユニット１０のがたつきをより抑制することができる。
【００８７】
また、前記電源ユニット２０は、
前記壁体に取り付けられた取付枠４０に対して、止具を介して固定されるものである。
【００８８】
このように構成することにより、壁体に対して、センサユニット１０を好適に取り付けることができる。すなわち、取付枠４０に対して電源ユニット２０を止具を介して固定すると共に、電源ユニット２０に対してセンサユニット１０を、ガイド部１３及びレール部２５を介して取り付けることで、壁体に対するがたつきを抑制するようにセンサユニット１０を取り付けることができる。
【００８９】
なお、本実施形態に係るガイド部１３は、本発明に係る第一スライド部の実施の一形態である。
また、本実施形態に係るガイド部１３は、本発明に係る嵌合部の実施の一形態である。
また、本実施形態に係るレール部２５は、本発明に係る第二スライド部の実施の一形態である。
また、本実施形態に係る突部２５ｂは、本発明に係る被嵌合部の実施の一形態である。
【００９０】
以上、本発明の実施形態を説明したが、本発明は上記構成に限定されるものではなく、特許請求の範囲に記載された発明の範囲内で種々の変更が可能である。
【００９１】
例えば、本実施形態では、センサユニット１０にガイド部１３を設け、電源ユニット２０にレール部２５を設けた例を示したが、このような構成に限られない。例えば、本実施形態では、センサユニット１０にレール部２５を設け、電源ユニット２０にガイド部１３を設けた構成としてもよい。
【００９２】
また、本実施形態では、第二スライド部（レール部２５）を左右方向に長尺な形状とした例を示したが、第二スライド部の形状としては、このような構成に限られない。例えば、第二スライド部を、比較的左右寸法が小さい（幅狭形状とされた）爪状に形成されたものとしてもよい。
【００９３】
また、本実施形態では、ガイド部１３及びレール部２５を、上下方向に突出する突部２５ｂと上下方向にへこむガイド部１３とを互いに嵌合させた例を示したが、このような構成に限られない。ガイド部１３及びレール部２５をスライド自在に嵌合させる構成としては、種々の構成を採用可能である。
【００９４】
また、本実施形態では、ガイド部１３及びレール部２５を上下に一対設けた例を示したが、このような構成に限られない。例えば、ガイド部１３及びレール部２５を一つずつ設けた構成としてもよい。
【００９５】
また、本実施形態では、センサユニット１０に制御部１１ａを内蔵させる構成としたが、このような態様に限られない。例えば、電源ユニット２０に制御部１１ａを内蔵させる構成としてもよい。この場合は、ポート部１２及びコネクタ部２４を介して、センサユニット１０（本体部１１）が内蔵するセンサによる測定結果を、電源ユニット２０の制御部１１ａに送信する構成を採用可能である。
【００９６】
また、センサ装置１は、単体で設置されるものに限られず、壁体に埋め込まれるように固定されるコンセント（配線器具）やスイッチと一体的に設けられる構成としてもよい。
【符号の説明】
【００９７】
１      センサ装置
１０    センサユニット
１２    ポート部
１３    ガイド部（第一スライド部、嵌合部）
２０    電源ユニット
２４    コネクタ部
２５    レール部
２５ｂ  突部（被嵌合部）
４０    取付枠
【図１】
2020159947.tif 000003
【図２】
2020159947.tif 000004
【図３】
2020159947.tif 000005
【図４】
2020159947.tif 000006
【図５】
2020159947.tif 000007
【図６】
2020159947.tif 000008
【図７】
2020159947.tif 000009
【図８】
2020159947.tif 000010